(57)【要約】【課題】比較的土の塊を細かくなるように耕耘して、作物の発芽、育成或いは排水等を含む作物栽培に適した土壌環境をつくるとともに、駆動源にかかる燃費を向上し、効率的な耕耘を図れる耕耘用駆動刃装置及び駆動刃を提供する。【解決手段】駆動源により軸回りに回転駆動される回転軸１２と、回転軸１２から軸周り放射状に突出しつつ、回転軸１２の長手軸方向に沿って所定の間隔で固定され、該回転軸１２と一体回転して土を耕耘する複数の駆動刃１４と、を備え、駆動刃１４は、回転軸１２への固定部分から湾曲して延長された第１湾曲部１６と、第１湾曲部１６の延長先端側に連続し、第１湾曲部１６と同じ刃体直線を有して第１湾曲部１６の湾曲形状と逆向きに反って湾曲された第２湾曲部１８と、を一体的に備えたことを特徴とする耕耘用駆動刃装置１０から構成される。【選択図】図１
0003151436.tif 000002
【実用新案登録請求の範囲】
【請求項１】
駆動源により軸回りに回転駆動される回転軸と、
回転軸から軸周り放射状に突出しつつ、回転軸の長手軸方向に沿って所定の間隔で固定され、該回転軸と一体回転して土を耕耘する複数の駆動刃と、を備え、
駆動刃は、回転軸への固定部分から湾曲して延長された第１湾曲部と、
第１湾曲部の延長先端側に連続し、第１湾曲部と同じ刃体直線を有して第１湾曲部の湾曲形状と逆向きに反って湾曲された第２湾曲部と、を一体的に備えたことを特徴とする耕耘用駆動刃装置。
【請求項２】
第２湾曲部の回転軸の長手軸方向の幅厚は第１湾曲部の延長先端側の回転軸の長手軸方向の幅厚より拡大しており、かつ第１湾曲部の延長先端側から第２湾曲部にかけて連続しながらその幅厚が次第に広がるように設けられた請求項１記載の耕耘用駆動刃装置。
【請求項３】
第２湾曲部の湾曲先端側は、刃先が横に広がったノミ刃形状で設けられた請求項２記載の耕耘用駆動刃装置。
【請求項４】
請求項１ないし３のいずれかに記載の耕耘用駆動刃装置の駆動刃。
【考案の詳細な説明】
【技術分野】
【０００１】
本考案は、例えば、田や畑を耕耘する際に使用する耕耘用駆動刃装置及び駆動刃に関する。
【背景技術】
【０００２】
作物を栽培する田や畑の土壌環境は、栽培作物の発芽、生育、収穫量等に大きく影響を及ぼす。土壌を長期間放置しておくと風雨等により土がかたまってしまい土中の間隙が小さくなることから作物の根の伸びが阻害されたり、作物の発芽等に悪影響を及ぼすおそれが高い。このことから、かたまった土を細かく破砕して土中の間隙を増加させる耕耘作業の重要性は高く、種まきや苗植えの前等には耕耘作業が行われる。現在、耕耘作業は多大な労力がかかることから、例えば、乗用トラクタのＰＴＯ軸に接続されて回転駆動される回転軸に複数の駆動刃を取り付けたロータリ耕耘機を使用したり、又は比較的小さな歩行用の耕耘機等を使用する場合が多い。
【０００３】
従来のロータリ耕耘機等では、駆動刃として一般的にナタ爪といわれる耕耘爪が使用されていた（例えば、特許文献１、参照）。例えば、図８、図９に示すように、従来のロータリ耕耘機１００は、複数のナタ爪１０４を回転軸１０２周りに放射状に、かつ回転軸１０２の長手方向に沿って所定間隔で固定しており、そのナタ爪１０４を固定した回転軸１０２を機体１０６に回転自在に支持させている。ロータリ耕耘機１００は、サイドドライブ式で、回転軸１０２の一端側をチェーンケース１０８で支持しており、乗用トラクタＴのＰＴＯ軸からギアボックス１０７、入力軸１０９、チェーンケース１０８を介して回転軸１０２に回転駆動力が伝達されて土壌Ｓｄを耕耘する。さらに、回転軸１０２を支持している機体１０６には、回転軸１０２及び複数のナタ爪１０４全体を覆うようにカバー１１０が設けられており、その後端側には整地部１１２が延設されている。図１０、図１１に示すように、従来のナタ爪１０４は、回転軸１０２に設けられたホルダ部１１４にボルト等を介して着脱可能に固定される基部１１８から円弧状に湾曲されて縦刃部１２０が形成されているとともに、縦刃部１２０の延長先端側を正面視で略同一方向に湾曲した湾曲形状でかつ縦刃部１２０から回転軸の長手軸方向に向けて略く字状に湾曲するように屈曲されて横刃部１２２が形成されたものであった。
【先行技術文献】
【特許文献】
【０００４】
【特許文献１】特開２００７−２０９２４７号公報（明細書「０００２」、図３）
【考案の概要】
【考案が解決しようとする課題】
【０００５】
従来のロータリ耕耘機１００のナタ爪１０４では、図１１に示すように、縦刃部１２０の刃体直線Ｙ１に対して横刃部１２２の刃体線Ｙ２が略く字状に曲げられて横刃部１２２による切削幅Ｈが比較的広く設定されていることから、細かく土の塊を破砕しにくいうえ、該ナタ爪１０４が土に当たる際の負荷が大きかった。したがって、１回程度の耕耘だけでは比較的大きな塊が残るおそれがあり、排水性も劣り、作物の発芽率等が劣り、良好な土壌環境を得ることが困難であった。よって、土の塊を細かくするためには耕耘作業の回数を増やす必要があるが、作業回数の増加に伴い非効率的で、労力、時間、燃料費等がかかる問題があった。さらに、ナタ爪が土に当たる際の抵抗が大きいので、土壌がかたい場合にはナタ爪が土に打ち込まれにくく、土からの反力によりロータリ耕耘機が浮きあがってしまったり、トラクタが前に押されたり、スリップしたりしてしまい、適正な耕耘が行えないおそれが高かった。また、例えば、雨の後や水田等の水分が多い土壌の場合には、耕耘時にナタ爪が掬い取った土が機体１０６のカバー１１０の裏面側にこびり付きやすかった。これにより、カバーにこびり付いた土に回転するナタ爪が当たってしまうので、ナタ爪に抵抗がかかり、駆動源への負荷がかかるとともに、比較的早期にナタ爪が損耗してしまうおそれがあることから、耕耘作業を中断して土落とし用の道具等で細かに土を落とす作業等が必要であり、煩雑であった。また、カバーにこびり着いた土が乾燥してしまうと固着して落としにくくなるのでこまめなメンテナンスが必要であった。
【０００６】
本考案は、上記従来の課題に鑑みてなされたものであり、その一つの目的は、比較的土の塊を細かくなるように耕耘して、作物栽培に適した土壌環境をつくることができるとともに、耕耘負荷を低減して燃費を向上し、効率的な耕耘を図れる耕耘用駆動刃装置及び駆動刃を提供することにある。
【課題を解決するための手段】
【０００７】
上記課題を解決するために本考案は、駆動源（Ｔ）により軸回りに回転駆動される回転軸１２と、回転軸１２から軸周り放射状に突出しつつ、回転軸の長手軸方向（ＲＬ）に沿って所定の間隔で固定され、該回転軸１２と一体回転して土を耕耘する複数の駆動刃１４と、を備え、駆動刃１４は、回転軸１２への固定部分から湾曲して延長された第１湾曲部１６と、第１湾曲部１６の延長先端側に連続し、第１湾曲部１６と同じ刃体直線ＢＬを有して第１湾曲部１６の湾曲形状と逆向きに反って湾曲された第２湾曲部１８と、を一体的に備えたことを特徴とする耕耘用駆動刃装置１０から構成される。
【０００８】
また、第２湾曲部１８の回転軸１２の長手軸方向の幅厚Ｗ２は第１湾曲部１６の延長先端側の回転軸１２の長手軸方向の幅厚Ｗ１より拡大しており、かつ第１湾曲部１６の延長先端側から第２湾曲部１８にかけて連続しながらその幅厚が次第に広がるように設けられたこととしてもよい。
【０００９】
また、第２湾曲部の湾曲先端側は、刃先が４２横に広がったノミ刃形状で設けられたこととしてもよい。
【００１０】
さらに、本発明は上記記載の耕耘用駆動刃装置１０の駆動刃１４から構成される。
【考案の効果】
【００１１】
本考案の耕耘用駆動刃装置によれば、駆動源により軸回りに回転駆動される回転軸と、回転軸から軸周り放射状に突出しつつ、回転軸の長手軸方向に沿って所定の間隔で固定され、該回転軸と一体回転して土を耕耘する複数の駆動刃と、を備え、駆動刃は、回転軸への固定部分から湾曲して延長された第１湾曲部と、第１湾曲部の延長先端側に連続し、第１湾曲部と同じ刃体直線を有して第１湾曲部の湾曲形状と逆向きに反って湾曲された第２湾曲部と、を一体的に備えたことから、駆動刃の幅を比較的狭く構成し、耕耘時に土の塊を細かく破砕して作物の発芽環境や排水等を含む作物の栽培に適した良好な土壌環境をつくることができる。同時に、耕耘負荷を低減できるうえ、耕耘効率を向上し、駆動源の燃費改善等を図ることができる。さらに、駆動刃の土への打ち込み抵抗が比較的小さいので、土からの反力によりロータリ耕耘機が浮きあがったり、トラクタが前に押されたり、スリップ等してしまうのを少なくして、適正な耕耘を図ることができる。また、耕耘用駆動刃装置に泥除けのカバー等を付設した構成であっても、土がカバーに付着しにくく、土と駆動刃との抵抗による負荷低減や、駆動刃の早期損耗等を防止して、メンテナンスを簡単に行なえる。
【００１２】
また、第２湾曲部の回転軸の長手軸方向の幅厚は第１湾曲部の延長先端側の回転軸の長手軸方向の幅厚より拡大しており、かつ第１湾曲部の延長先端側から第２湾曲部にかけて連続しながらその幅厚が次第に広がるように設けられた構成とすることにより、第２湾曲部の幅厚をある程度拡大して、１回転における耕耘幅を確保し、耕耘効率を向上できる。さらに、第１湾曲部の延長先端側から第２湾曲部にかけて連続して一体化しているので、耕耘時に土から受ける負荷に対する耐久度を保持でき、駆動刃の早期劣化等を防止しながら良好に耕耘できる。
【００１３】
また、第２湾曲部の湾曲先端側は、刃先が横に広がったノミ刃形状で設けられた構成とすることにより、尖った刃先により耕耘負荷を低減しながら良好に土を細かく破砕できるとともに、ノミ刃形状の広がりのある面部分で土の反転を行い、良好な耕耘を実現できる。
【図面の簡単な説明】
【００１４】
【図１】本考案の実施形態に係る耕耘用駆動刃装置の概略説明図である。
【図２】図１の耕耘用駆動刃装置を接続した乗用トラクタの概略図である。
【図３】図２の耕耘用駆動刃装置のＡ−Ａ線矢視図である。
【図４】図１の耕耘用駆動刃装置の駆動刃の斜視図である。
【図５】図４の駆動刃の正面図である。
【図６】図４の駆動刃の右側面図である。
【図７】図４の駆動刃の平面図である。
【図８】従来のロータリ耕耘機の概略説明図である。
【図９】図８のロータリ耕耘機のＢ−Ｂ線矢視図である。
【図１０】従来のロータリ耕耘機のナタ爪の正面図である。
【図１１】図１０のナタ爪の右側面図である。
【考案を実施するための形態】
【００１５】
以下、添付図面を参照しつつ本考案の耕耘用駆動刃装置及び駆動刃の実施の形態について説明する。本考案の耕耘用駆動刃装置は、例えば、稲、小麦、大麦、大豆、たまねぎ、ジャガイモ等の種々の作物を栽培する田や畑を耕耘する際に用いられる。図１ないし図７は、本考案の耕耘用駆動刃装置の一実施形態を示している。本実施形態において、耕耘用駆動刃装置１０は、図１、図３、図４に示すように、回転軸１２と、回転軸１２に固定される複数の駆動刃１４と、を備え、駆動刃１４は、第１湾曲部１６と、第１湾曲部１６の湾曲形状と逆に反った第２湾曲部１８と、を一体的に備えている。
【００１６】
本実施形態では、図２に示すように、耕耘用駆動刃装置１０は、例えば、乗用トラクタＴ等の走行体に接続して、該走行体から駆動力を得るサイドドライブ式の耕耘装置として適用した例で説明する。すなわち、耕耘用駆動刃装置１０は、駆動刃を除いた構成は従来周知のサイドドライブ式のロータリ耕耘機等と略同様の構成で設けられており、乗用トラクタＴの後方側に３点リンク装置に支持され、牽引されて移動しながら、乗用トラクタＴのＰＴＯ（Power take off）軸から駆動力が伝達されて土壌Ｓｄの耕耘作業を行うようになっている。なお、図１、図２、図３では、耕耘用駆動刃装置１０の概略図を示しており、図１、図２において、乗用トラクタＴの進行方向を前後方向ＦＢとし、該前後方向に直交する横方向すなわち紙面に垂直な方向（さらには図３上での左右方向）を左右方向ＲＬとする。
【００１７】
図１、図２、図３に示すように、回転軸１２は、本実施形態では、乗用トラクタＴの後部側の３点リンク装置に支持される機体２０にその長手軸方向を左右方向ＲＬに配置させて回転自在に支持されている。機体２０は、例えば、左右方向ＲＬに長く配置されたフレーム２１を有している。フレーム２１の一端側には、チェーンを収容したチェーンケース２２が固定され、フレーム２１の他端側にはブラケット部２４が固定されている。チェーンケース２２とブラケット部２４の下部側に回転軸１２が架設状に配置されているとともに、該チェーンケース２２内に収容されたチェーンと回転軸１２の一端側とをスプロケット等を介して連係させながら該回転軸１２を回転自在に支持している。フレーム２１の左右方向中間位置の上方側には、乗用トラクタのＰＴＯ軸からの出力軸に連係するベベルギア等を収容したギアボックス２６が配置される。ギアボックス２６の側方にはフレーム２１上方に回転自在に支持された入力軸２８が接続されており、一端側をベベルギア等に連係しつつ、延長端部はチェーンケース２２のチェーンにスプロケット等を介して連係されている。よって、ＰＴＯ軸により駆動力が入力されると、ギアボックス２６、入力軸２８、チェーンケース２２を介して回転軸１２を回転駆動させるようになっている。
【００１８】
本実施形態では、機体２０の上部側には、支持している回転軸１２及びそれに固定される複数の駆動刃１４の上方側全体を覆うように左右方向ＲＬ及び前後方向ＦＢに延びたカバー３０が設けられている。カバー３０の後部には、後方側へ斜め下方に向けて整地部３２が延設されており、その整地部３２の後端側が土壌表面に接して、回転軸１２及び駆動刃１４により耕耘した土壌を整地するようになっている。
【００１９】
本実施形態では、回転軸１２には、駆動刃１４を着脱可能に固定するためのホルダ部３４が一体的に設けられている。ホルダ部３４は、例えば、複数の駆動刃１４の配置位置に対応して該駆動刃１４の基部を嵌合状に受け入れる受穴を有した角筒体状に構成されており、抜け止め用の締結ボルト３８等を貫通させるピン孔が長手軸方向に穿孔されている。
【００２０】
図１、図２、図３に示すように、駆動刃１４は、回転軸１２に複数個固定されて該回転軸１２と一体回転し土を切削、破砕して耕耘する耕耘爪である。複数の駆動刃１４は、回転軸１２から軸周り放射状に突出しつつ、回転軸の長手軸方向ＲＬに沿って所定の間隔で固定されている。駆動刃１４は、例えば、図１、図２では、矢印Ｄ方向を回転方向として、土壌をダウンカット状に耕耘するようになっている。図４、図５、図６、図７に示すように、各駆動刃１４は、例えば、鉄等の硬い金属からなり、回転軸１２への固定部分となる基部１５と、基部１５から連続して延長された第１湾曲部１６と、第１湾曲部１６に連続し第１湾曲部１６の湾曲形状とは逆方向に沿って湾曲した第２湾曲部１８と、が一体的に形成されている。駆動刃１４は、例えば、図５のように正面視すなわち回転軸１２に取り付けた際に軸方向から見た状態では、基部１５、第１湾曲部１６、第２湾曲部１８を含んで全体的に細長い変形略Ｓ字状となっており、図６のように側面視すなわち乗用トラクタの進行方向に向けて見た状態では、所定の幅厚で略板状の刃体を全体的に直線上とした、変形略Ｓ字状の板体となっている。すなわち、駆動刃１４は、例えば、互いに逆方向に湾曲する２つの湾曲刃体部である第１湾曲部１６と第２湾曲部１８を連続して形成しつつ、第１湾曲部１６、第２湾曲部１８を同じ刃体直線ＢＬ上に設定して形成されている。駆動刃１４は、刃体板面１４ａを左右方向に向けて、すなわち、駆動刃の刃体板厚が回転軸の長手軸方向の幅厚Ｗ１、Ｗ２として設定されるように回転軸に固定される。駆動刃１４は、例えば、所定の厚みの鋼板等をプレス装置等により所定形状に打ち抜いて形成されている。
【００２１】
さらに具体的には、本実施形態では、駆動刃１４の基部１５は、例えば、数ｍｍ程度の幅厚Ｗ１で略矩形板状に形成されている。基部１５はホルダ部３４の受穴に嵌合されて、ホルダ部３４のピン孔と位置合わせした位置に貫通された取付孔３６が穿孔されており、締結ボルト３８等を介して固定される。第１湾曲部１６は、基部と略同じ幅厚Ｗ１で形成され、基部１５の先端側から略円弧状に湾曲形成されて略湾刀形状の湾曲形状となっており、駆動刃１４の回転方向Ｄ側に円弧外側Ｒｘを向けてすなわち回転方向Ｄ側に凸状に沿って形成されている。第１湾曲部１６の該円弧外側Ｒｘの縁部に沿って刃先が形成されて縦刃４０を構成している。第１湾曲部１６の延長先端側に第２湾曲部１８に連続されている。第２湾曲部１８は、第１湾曲部１６の湾曲形状とは逆向きに駆動刃１４の回転方向Ｄ側に円弧内側Ｒｉを向けてすなわち回転方向Ｄ側に凹状に沿って湾曲している。第２湾曲部１８の幅厚Ｗ２は、第１湾曲部の延長先端側の幅厚Ｗ１より拡大して、例えば３．５〜４ｃｍ程度に形成されており、第１湾曲部の延長先端側との接続部分には幅厚が次第に広がったテーパ状連続部４４が形成されている。第２湾曲部１８の円弧湾曲の弦に対応する長さは、例えば、約４〜５ｃｍ程度に形成されている。第２湾曲部１８の円弧内側Ｒｉには比較的幅広の凹面部４６が形成される。そして第２湾曲部１８の湾曲先端側は、刃先が横に広がったノミ刃形状又はくちばし形状で設けられており横刃４２を構成している。このように第２湾曲部の幅厚Ｗ２を第１湾曲部の幅厚Ｗ１より拡大して設けたことにより、各駆動刃１４の切削幅をある程度確保して効率良く耕耘することができるとともに、土を細かく破砕しながら凹面部４６により土の反転を行える。なお、図３において、回転軸１２の両端部側に固定される駆動刃１４Ｓのみは、基部１５に対して第１湾曲部及び第２湾曲部が外側に向けて斜めに屈曲されており、延長先端側がチェーンカバー２２又はブラケット部２４側にそれぞれ近接させるように形成されている。
【００２２】
次に、本考案に係る耕耘用駆動刃装置１０の作用について説明する。例えば、耕耘用駆動刃装置１０を乗用トラクタＴの後部側に接続して畑等で駆動させると、回転軸１２と複数の駆動刃１４が一体的にＤ方向に回転して土壌Ｓｄを耕耘する。この際、各駆動刃１４は、第１湾曲部１６の縦刃によって土の縦切り深さを確保しつつ、第２湾曲部１８の先端側のノミ刃状の横刃により土を掘削しながら、第２湾曲部１８の幅広の凹面部４６により土の反転を行いながら、好適に耕耘することができる。また従来のナタ爪のように刃体直線が横方向に湾曲していないので、土の塊を比較的細かく破砕できるとともに土への打ち込み抵抗も少なく、耕耘負荷を低減できるうえ、耕耘効率を向上し、駆動源の燃費向上を期待できる。また、ナタ爪と比較して横幅が狭いので、カバー３０の裏側に土等が付着しにくい。なお、本実施形態では、耕耘用駆動刃装置１０は乗用トラクタに接続した態様としたが、歩行用トラクタの耕耘部に適用してもよく、サイドドライブ式のものに限らず、回転軸の中間位置に駆動力が伝達されるセンタードライブ方式で適用してもよい。
【００２３】
以上説明した本考案の耕耘用駆動刃装置及び駆動刃は、上記した実施形態のみの構成に限定されるものではなく、実用新案登録請求の範囲に記載した本考案の本質を逸脱しない範囲において、任意の改変を行ってもよい。
【産業上の利用可能性】
【００２４】
本考案の耕耘用駆動刃装置は、例えば、作物を栽培する田畑を耕耘する際に好適に利用できる。
【符号の説明】
【００２５】
１０    耕耘用駆動刃装置
１２    回転軸
１４    駆動刃
１５    基部
１６    第１湾曲部
１８    第２湾曲部
Ｔ    乗用トラクタ
ＢＬ    刃体直線
【図１】
0003151436.tif 000003
【図２】
0003151436.tif 000004
【図３】
0003151436.tif 000005
【図４】
0003151436.tif 000006
【図５】
0003151436.tif 000007
【図６】
0003151436.tif 000008
【図７】
0003151436.tif 000009
【図８】
0003151436.tif 000010
【図９】
0003151436.tif 000011
【図１０】
0003151436.tif 000012
【図１１】
0003151436.tif 000013
【手続補正書】
【提出日】平成21年4月9日(2009.4.9)
【手続補正１】
【補正対象書類名】実用新案登録請求の範囲
【補正対象項目名】全文
【補正方法】変更
【補正の内容】
【実用新案登録請求の範囲】
【請求項１】
駆動源により軸回りに回転駆動される回転軸と、
回転軸から軸周り放射状に突出しつつ、回転軸の長手軸方向に沿って所定の間隔で固定され、該回転軸と一体回転して土を耕耘する複数の駆動刃と、を備える耕耘用駆動刃装置の駆動刃であって、
駆動刃は、回転軸への固定部分から湾曲して延長された第１湾曲部と、
第１湾曲部の延長先端側に連続し、第１湾曲部と同じ刃体直線を有して第１湾曲部の湾曲形状と逆向きに反って湾曲された第２湾曲部と、を一体的に備えたことを特徴とする駆動刃。
【請求項２】
第２湾曲部の回転軸の長手軸方向の幅厚は第１湾曲部の延長先端側の回転軸の長手軸方向の幅厚より拡大しており、かつ第１湾曲部の延長先端側から第２湾曲部にかけて連続しながらその幅厚が次第に広がるように設けられた請求項１記載の駆動刃。
【請求項３】
第２湾曲部の湾曲先端側は、刃先が横に広がったノミ刃形状で設けられた請求項２記載の駆動刃。
【請求項４】
請求項１ないし３のいずれかに記載の駆動刃を備えた耕耘用駆動刃装置。
【手続補正２】
【補正対象書類名】明細書
【補正対象項目名】全文
【補正方法】変更
【補正の内容】
【考案の詳細な説明】
【技術分野】
【０００１】
本考案は、例えば、田や畑を耕耘する際に使用する耕耘用駆動刃装置及び駆動刃に関する。
【背景技術】
【０００２】
作物を栽培する田や畑の土壌環境は、栽培作物の発芽、生育、収穫量等に大きく影響を及ぼす。土壌を長期間放置しておくと風雨等により土がかたまってしまい土中の間隙が小さくなることから作物の根の伸びが阻害されたり、作物の発芽等に悪影響を及ぼすおそれが高い。このことから、かたまった土を細かく破砕して土中の間隙を増加させる耕耘作業の重要性は高く、種まきや苗植えの前等には耕耘作業が行われる。現在、耕耘作業は多大な労力がかかることから、例えば、乗用トラクタのＰＴＯ軸に接続されて回転駆動される回転軸に複数の駆動刃を取り付けたロータリ耕耘機を使用したり、又は比較的小さな歩行用の耕耘機等を使用する場合が多い。
【０００３】
従来のロータリ耕耘機等では、駆動刃として一般的にナタ爪といわれる耕耘爪が使用されていた（例えば、特許文献１、参照）。例えば、図８、図９に示すように、従来のロータリ耕耘機１００は、複数のナタ爪１０４を回転軸１０２周りに放射状に、かつ回転軸１０２の長手方向に沿って所定間隔で固定しており、そのナタ爪１０４を固定した回転軸１０２を機体１０６に回転自在に支持させている。ロータリ耕耘機１００は、サイドドライブ式で、回転軸１０２の一端側をチェーンケース１０８で支持しており、乗用トラクタＴのＰＴＯ軸からギアボックス１０７、入力軸１０９、チェーンケース１０８を介して回転軸１０２に回転駆動力が伝達されて土壌Ｓｄを耕耘する。さらに、回転軸１０２を支持している機体１０６には、回転軸１０２及び複数のナタ爪１０４全体を覆うようにカバー１１０が設けられており、その後端側には整地部１１２が延設されている。図１０、図１１に示すように、従来のナタ爪１０４は、回転軸１０２に設けられたホルダ部１１４にボルト等を介して着脱可能に固定される基部１１８から円弧状に湾曲されて縦刃部１２０が形成されているとともに、縦刃部１２０の延長先端側を正面視で略同一方向に湾曲した湾曲形状でかつ縦刃部１２０から回転軸の長手軸方向に向けて略く字状に湾曲するように屈曲されて横刃部１２２が形成されたものであった。
【先行技術文献】
【特許文献】
【０００４】
【特許文献１】特開２００７−２０９２４７号公報（明細書「０００２」、図３）
【考案の概要】
【考案が解決しようとする課題】
【０００５】
従来のロータリ耕耘機１００のナタ爪１０４では、図１１に示すように、縦刃部１２０の刃体直線Ｙ１に対して横刃部１２２の刃体線Ｙ２が略く字状に曲げられて横刃部１２２による切削幅Ｈが比較的広く設定されていることから、細かく土の塊を破砕しにくいうえ、該ナタ爪１０４が土に当たる際の負荷が大きかった。したがって、１回程度の耕耘だけでは比較的大きな塊が残るおそれがあり、排水性も劣り、作物の発芽率等が劣り、良好な土壌環境を得ることが困難であった。よって、土の塊を細かくするためには耕耘作業の回数を増やす必要があるが、作業回数の増加に伴い非効率的で、労力、時間、燃料費等がかかる問題があった。さらに、ナタ爪が土に当たる際の抵抗が大きいので、土壌がかたい場合にはナタ爪が土に打ち込まれにくく、土からの反力によりロータリ耕耘機が浮きあがってしまったり、トラクタが前に押されたり、スリップしたりしてしまい、適正な耕耘が行えないおそれが高かった。また、例えば、雨の後や水田等の水分が多い土壌の場合には、耕耘時にナタ爪が掬い取った土が機体１０６のカバー１１０の裏面側にこびり付きやすかった。これにより、カバーにこびり付いた土に回転するナタ爪が当たってしまうので、ナタ爪に抵抗がかかり、駆動源への負荷がかかるとともに、比較的早期にナタ爪が損耗してしまうおそれがあることから、耕耘作業を中断して土落とし用の道具等で細かに土を落とす作業等が必要であり、煩雑であった。また、カバーにこびり着いた土が乾燥してしまうと固着して落としにくくなるのでこまめなメンテナンスが必要であった。
【０００６】
本考案は、上記従来の課題に鑑みてなされたものであり、その一つの目的は、比較的土の塊を細かくなるように耕耘して、作物栽培に適した土壌環境をつくることができるとともに、耕耘負荷を低減して燃費を向上し、効率的な耕耘を図れる耕耘用駆動刃装置及び駆動刃を提供することにある。
【課題を解決するための手段】
【０００７】
上記課題を解決するために本考案は、駆動源（Ｔ）により軸回りに回転駆動される回転軸１２と、回転軸１２から軸周り放射状に突出しつつ、回転軸の長手軸方向（ＲＬ）に沿って所定の間隔で固定され、該回転軸１２と一体回転して土を耕耘する複数の駆動刃１４と、を備える耕耘用駆動刃装置の駆動刃であって、駆動刃１４は、回転軸１２への固定部分から湾曲して延長された第１湾曲部１６と、第１湾曲部１６の延長先端側に連続し、第１湾曲部１６と同じ刃体直線ＢＬを有して第１湾曲部１６の湾曲形状と逆向きに反って湾曲された第２湾曲部１８と、を一体的に備えたことを特徴とする駆動刃１４から構成される。
【０００８】
また、第２湾曲部１８の回転軸１２の長手軸方向の幅厚Ｗ２は第１湾曲部１６の延長先端側の回転軸１２の長手軸方向の幅厚Ｗ１より拡大しており、かつ第１湾曲部１６の延長先端側から第２湾曲部１８にかけて連続しながらその幅厚が次第に広がるように設けられたこととしてもよい。
【０００９】
また、第２湾曲部の湾曲先端側は、刃先が４２横に広がったノミ刃形状で設けられたこととしてもよい。
【００１０】
さらに、本発明は上記記載の駆動刃１４を備えた耕耘用駆動刃装置１０から構成される。
【考案の効果】
【００１１】
本考案の耕耘用駆動刃装置によれば、駆動源により軸回りに回転駆動される回転軸と、回転軸から軸周り放射状に突出しつつ、回転軸の長手軸方向に沿って所定の間隔で固定され、該回転軸と一体回転して土を耕耘する複数の駆動刃と、を備え、駆動刃は、回転軸への固定部分から湾曲して延長された第１湾曲部と、第１湾曲部の延長先端側に連続し、第１湾曲部と同じ刃体直線を有して第１湾曲部の湾曲形状と逆向きに反って湾曲された第２湾曲部と、を一体的に備えたことから、駆動刃の幅を比較的狭く構成し、耕耘時に土の塊を細かく破砕して作物の発芽環境や排水等を含む作物の栽培に適した良好な土壌環境をつくることができる。同時に、耕耘負荷を低減できるうえ、耕耘効率を向上し、駆動源の燃費改善等を図ることができる。さらに、駆動刃の土への打ち込み抵抗が比較的小さいので、土からの反力によりロータリ耕耘機が浮きあがったり、トラクタが前に押されたり、スリップ等してしまうのを少なくして、適正な耕耘を図ることができる。また、耕耘用駆動刃装置に泥除けのカバー等を付設した構成であっても、土がカバーに付着しにくく、土と駆動刃との抵抗による負荷低減や、駆動刃の早期損耗等を防止して、メンテナンスを簡単に行なえる。
【００１２】
また、第２湾曲部の回転軸の長手軸方向の幅厚は第１湾曲部の延長先端側の回転軸の長手軸方向の幅厚より拡大しており、かつ第１湾曲部の延長先端側から第２湾曲部にかけて連続しながらその幅厚が次第に広がるように設けられた構成とすることにより、第２湾曲部の幅厚をある程度拡大して、１回転における耕耘幅を確保し、耕耘効率を向上できる。さらに、第１湾曲部の延長先端側から第２湾曲部にかけて連続して一体化しているので、耕耘時に土から受ける負荷に対する耐久度を保持でき、駆動刃の早期劣化等を防止しながら良好に耕耘できる。
【００１３】
また、第２湾曲部の湾曲先端側は、刃先が横に広がったノミ刃形状で設けられた構成とすることにより、尖った刃先により耕耘負荷を低減しながら良好に土を細かく破砕できるとともに、ノミ刃形状の広がりのある面部分で土の反転を行い、良好な耕耘を実現できる。
【図面の簡単な説明】
【００１４】
【図１】本考案の実施形態に係る耕耘用駆動刃装置の概略説明図である。
【図２】図１の耕耘用駆動刃装置を接続した乗用トラクタの概略図である。
【図３】図２の耕耘用駆動刃装置のＡ−Ａ線矢視図である。
【図４】図１の耕耘用駆動刃装置の駆動刃の斜視図である。
【図５】図４の駆動刃の正面図である。
【図６】図４の駆動刃の右側面図である。
【図７】図４の駆動刃の平面図である。
【図８】従来のロータリ耕耘機の概略説明図である。
【図９】図８のロータリ耕耘機のＢ−Ｂ線矢視図である。
【図１０】従来のロータリ耕耘機のナタ爪の正面図である。
【図１１】図１０のナタ爪の右側面図である。
【考案を実施するための形態】
【００１５】
以下、添付図面を参照しつつ本考案の耕耘用駆動刃装置及び駆動刃の実施の形態について説明する。本考案の耕耘用駆動刃装置は、例えば、稲、小麦、大麦、大豆、たまねぎ、ジャガイモ等の種々の作物を栽培する田や畑を耕耘する際に用いられる。図１ないし図７は、本考案の耕耘用駆動刃装置の一実施形態を示している。本実施形態において、耕耘用駆動刃装置１０は、図１、図３、図４に示すように、回転軸１２と、回転軸１２に固定される複数の駆動刃１４と、を備え、駆動刃１４は、第１湾曲部１６と、第１湾曲部１６の湾曲形状と逆に反った第２湾曲部１８と、を一体的に備えている。
【００１６】
本実施形態では、図２に示すように、耕耘用駆動刃装置１０は、例えば、乗用トラクタＴ等の走行体に接続して、該走行体から駆動力を得るサイドドライブ式の耕耘装置として適用した例で説明する。すなわち、耕耘用駆動刃装置１０は、駆動刃を除いた構成は従来周知のサイドドライブ式のロータリ耕耘機等と略同様の構成で設けられており、乗用トラクタＴの後方側に３点リンク装置に支持され、牽引されて移動しながら、乗用トラクタＴのＰＴＯ（Power take off）軸から駆動力が伝達されて土壌Ｓｄの耕耘作業を行うようになっている。なお、図１、図２、図３では、耕耘用駆動刃装置１０の概略図を示しており、図１、図２において、乗用トラクタＴの進行方向を前後方向ＦＢとし、該前後方向に直交する横方向すなわち紙面に垂直な方向（さらには図３上での左右方向）を左右方向ＲＬとする。
【００１７】
図１、図２、図３に示すように、回転軸１２は、本実施形態では、乗用トラクタＴの後部側の３点リンク装置に支持される機体２０にその長手軸方向を左右方向ＲＬに配置させて回転自在に支持されている。機体２０は、例えば、左右方向ＲＬに長く配置されたフレーム２１を有している。フレーム２１の一端側には、チェーンを収容したチェーンケース２２が固定され、フレーム２１の他端側にはブラケット部２４が固定されている。チェーンケース２２とブラケット部２４の下部側に回転軸１２が架設状に配置されているとともに、該チェーンケース２２内に収容されたチェーンと回転軸１２の一端側とをスプロケット等を介して連係させながら該回転軸１２を回転自在に支持している。フレーム２１の左右方向中間位置の上方側には、乗用トラクタのＰＴＯ軸からの出力軸に連係するベベルギア等を収容したギアボックス２６が配置される。ギアボックス２６の側方にはフレーム２１上方に回転自在に支持された入力軸２８が接続されており、一端側をベベルギア等に連係しつつ、延長端部はチェーンケース２２のチェーンにスプロケット等を介して連係されている。よって、ＰＴＯ軸により駆動力が入力されると、ギアボックス２６、入力軸２８、チェーンケース２２を介して回転軸１２を回転駆動させるようになっている。
【００１８】
本実施形態では、機体２０の上部側には、支持している回転軸１２及びそれに固定される複数の駆動刃１４の上方側全体を覆うように左右方向ＲＬ及び前後方向ＦＢに延びたカバー３０が設けられている。カバー３０の後部には、後方側へ斜め下方に向けて整地部３２が延設されており、その整地部３２の後端側が土壌表面に接して、回転軸１２及び駆動刃１４により耕耘した土壌を整地するようになっている。
【００１９】
本実施形態では、回転軸１２には、駆動刃１４を着脱可能に固定するためのホルダ部３４が一体的に設けられている。ホルダ部３４は、例えば、複数の駆動刃１４の配置位置に対応して該駆動刃１４の基部を嵌合状に受け入れる受穴を有した角筒体状に構成されており、抜け止め用の締結ボルト３８等を貫通させるピン孔が長手軸方向に穿孔されている。
【００２０】
図１、図２、図３に示すように、駆動刃１４は、回転軸１２に複数個固定されて該回転軸１２と一体回転し土を切削、破砕して耕耘する耕耘爪である。複数の駆動刃１４は、回転軸１２から軸周り放射状に突出しつつ、回転軸の長手軸方向ＲＬに沿って所定の間隔で固定されている。駆動刃１４は、例えば、図１、図２では、矢印Ｄ方向を回転方向として、土壌をダウンカット状に耕耘するようになっている。図４、図５、図６、図７に示すように、各駆動刃１４は、例えば、鉄等の硬い金属からなり、回転軸１２への固定部分となる基部１５と、基部１５から連続して延長された第１湾曲部１６と、第１湾曲部１６に連続し第１湾曲部１６の湾曲形状とは逆方向に沿って湾曲した第２湾曲部１８と、が一体的に形成されている。駆動刃１４は、例えば、図５のように正面視すなわち回転軸１２に取り付けた際に軸方向から見た状態では、基部１５、第１湾曲部１６、第２湾曲部１８を含んで全体的に細長い変形略Ｓ字状となっており、図６のように側面視すなわち乗用トラクタの進行方向に向けて見た状態では、所定の幅厚で略板状の刃体を全体的に直線上とした、変形略Ｓ字状の板体となっている。すなわち、駆動刃１４は、例えば、互いに逆方向に湾曲する２つの湾曲刃体部である第１湾曲部１６と第２湾曲部１８を連続して形成しつつ、第１湾曲部１６、第２湾曲部１８を同じ刃体直線ＢＬ上に設定して形成されている。駆動刃１４は、刃体板面１４ａを左右方向に向けて、すなわち、駆動刃の刃体板厚が回転軸の長手軸方向の幅厚Ｗ１、Ｗ２として設定されるように回転軸に固定される。駆動刃１４は、例えば、所定の厚みの鋼板等をプレス装置等により所定形状に打ち抜いて形成されている。
【００２１】
さらに具体的には、本実施形態では、駆動刃１４の基部１５は、例えば、数ｍｍ程度の幅厚Ｗ１で略矩形板状に形成されている。基部１５はホルダ部３４の受穴に嵌合されて、ホルダ部３４のピン孔と位置合わせした位置に貫通された取付孔３６が穿孔されており、締結ボルト３８等を介して固定される。第１湾曲部１６は、基部と略同じ幅厚Ｗ１で形成され、基部１５の先端側から略円弧状に湾曲形成されて略湾刀形状の湾曲形状となっており、駆動刃１４の回転方向Ｄ側に円弧外側Ｒｘを向けてすなわち回転方向Ｄ側に凸状に沿って形成されている。第１湾曲部１６の該円弧外側Ｒｘの縁部に沿って刃先が形成されて縦刃４０を構成している。第１湾曲部１６の延長先端側に第２湾曲部１８に連続されている。第２湾曲部１８は、第１湾曲部１６の湾曲形状とは逆向きに駆動刃１４の回転方向Ｄ側に円弧内側Ｒｉを向けてすなわち回転方向Ｄ側に凹状に沿って湾曲している。第２湾曲部１８の幅厚Ｗ２は、第１湾曲部の延長先端側の幅厚Ｗ１より拡大して、例えば３．５〜４ｃｍ程度に形成されており、第１湾曲部の延長先端側との接続部分には幅厚が次第に広がったテーパ状連続部４４が形成されている。第２湾曲部１８の円弧湾曲の弦に対応する長さは、例えば、約４〜５ｃｍ程度に形成されている。第２湾曲部１８の円弧内側Ｒｉには比較的幅広の凹面部４６が形成される。そして第２湾曲部１８の湾曲先端側は、刃先が横に広がったノミ刃形状又はくちばし形状で設けられており横刃４２を構成している。このように第２湾曲部の幅厚Ｗ２を第１湾曲部の幅厚Ｗ１より拡大して設けたことにより、各駆動刃１４の切削幅をある程度確保して効率良く耕耘することができるとともに、土を細かく破砕しながら凹面部４６により土の反転を行える。なお、図３において、回転軸１２の両端部側に固定される駆動刃１４Ｓのみは、基部１５に対して第１湾曲部及び第２湾曲部が外側に向けて斜めに屈曲されており、延長先端側がチェーンカバー２２又はブラケット部２４側にそれぞれ近接させるように形成されている。
【００２２】
次に、本考案に係る耕耘用駆動刃装置１０の作用について説明する。例えば、耕耘用駆動刃装置１０を乗用トラクタＴの後部側に接続して畑等で駆動させると、回転軸１２と複数の駆動刃１４が一体的にＤ方向に回転して土壌Ｓｄを耕耘する。この際、各駆動刃１４は、第１湾曲部１６の縦刃によって土の縦切り深さを確保しつつ、第２湾曲部１８の先端側のノミ刃状の横刃により土を掘削しながら、第２湾曲部１８の幅広の凹面部４６により土の反転を行いながら、好適に耕耘することができる。また従来のナタ爪のように刃体直線が横方向に湾曲していないので、土の塊を比較的細かく破砕できるとともに土への打ち込み抵抗も少なく、耕耘負荷を低減できるうえ、耕耘効率を向上し、駆動源の燃費向上を期待できる。また、ナタ爪と比較して横幅が狭いので、カバー３０の裏側に土等が付着しにくい。なお、本実施形態では、耕耘用駆動刃装置１０は乗用トラクタに接続した態様としたが、歩行用トラクタの耕耘部に適用してもよく、サイドドライブ式のものに限らず、回転軸の中間位置に駆動力が伝達されるセンタードライブ方式で適用してもよい。
【００２３】
以上説明した本考案の耕耘用駆動刃装置及び駆動刃は、上記した実施形態のみの構成に限定されるものではなく、実用新案登録請求の範囲に記載した本考案の本質を逸脱しない範囲において、任意の改変を行ってもよい。
【産業上の利用可能性】
【００２４】
本考案の耕耘用駆動刃装置は、例えば、作物を栽培する田畑を耕耘する際に好適に利用できる。
【符号の説明】
【００２５】
１０    耕耘用駆動刃装置
１２    回転軸
１４    駆動刃
１５    基部
１６    第１湾曲部
１８    第２湾曲部
Ｔ    乗用トラクタ
ＢＬ    刃体直線